(57)【要約】【課題】セルフクリーニング等の際に、ドアがロック状態であり且つ加熱調理器の庫内温度が所定以上になっているときには、誤ってドアロックが解除されることを阻止して、加熱調理器の取扱いを安全にする加熱調理器におけるドアロック制御装置を提供する。【解決手段】通常のドアロック解除の状態、及びドアロック状態であっても庫内温度が低くロック検知・サーモ回路部６のサーマルスイッチ８が閉状態では、ロック検知・サーモ回路部６は通電可能であり、電源ライン２は駆動モータ５へ電源供給しドアのロック・ロック解除操作を行うことができる。セルフクリーニングの場合等では、ドアがロック状態にあり検知スイッチ７はドアロック側７ａにあるが、庫内温度が高温であるためにサーマルスイッチ８が開状態になり、電源ライン２は遮断される。駆動部品が故障するようなことがあっても駆動モータ５へは通電されないため、ドアロックは解除されることがない。【選択図】図１
2008096011.tif 000002
【特許請求の範囲】
【請求項１】
内部に加熱室が形成されている調理器本体、前記加熱室の開口部を閉鎖可能な開閉ドア、前記開閉ドアをロックするためのロック部材を駆動してロック位置とロック解除位置との間で切替える駆動モータ、及び前記駆動モータへの電源供給を司る回路を備えた加熱調理器において、
前記回路には、前記ロック部材が占める前記ロック位置と前記ロック解除位置とに応じてそれぞれロック側とロック解除側とに切り替わる検知スイッチ、及び前記検知スイッチの前記ロック側に直列に接続されており且つ前記加熱調理器の所定温度以上の庫内温度に応じて開くサーマルスイッチを組み合わせて成るロック検知・サーモ回路部を備えていることから成る加熱調理器におけるドアロック制御装置。
【請求項２】
前記駆動モータへの電源供給は、前記検知スイッチが前記ロック側にあり且つ前記加熱調理器の庫内温度が所定温度以上であって前記サーマルスイッチが開いているときに遮断されることから成る請求項１に記載の加熱調理器におけるドアロック制御装置。
【請求項３】
前記ロック検知・サーモ回路部は、前記駆動モータへの電源供給ラインに介装されていることから成る請求項１又は２に記載の加熱調理器におけるドアロック制御装置。
【請求項４】
前記ロック検知・サーモ回路部は、前記駆動モータへの電源供給ラインをリレーを介して駆動するリレー電源ラインに介装されていることから成る請求項１又は２に記載の加熱調理器におけるドアロック制御装置。
【発明の詳細な説明】
【技術分野】
【０００１】
この発明は、加熱調理器において、駆動モータの作動によってドアをロック・ロック解除可能なドアロック制御装置に関する。
【背景技術】
【０００２】
従来、被加熱物を載置可能な引き出し体を開閉扉と共に調理器本体に対して引き出し可能とし、引き出し体を調理器本体内の加熱室内に収容する収容状態とするときに加熱室の開口部を開閉扉で閉鎖する引き出し式加熱調理器が提案されている（特許文献１、特許文献２）。この種の引き出し式加熱調理器は、被加熱物を収容可能な調理室（加熱室）を有する機器本体（調理器本体）と、調理室を外気から遮断する開閉扉と、この開閉扉と連動する底板或いは被調理物を載置可能な加熱容器（引き出し体）とを備えている。より詳細には、底板或いは加熱容器はスライド機構によって円滑にスライドされ、モータの回転出力がラック・ピニオン機構のような変換手段を介してスライド機構に伝達されることにより、底板或いは加熱容器を機器本体に対して引き出し又は収容方向に移動させることができる。底板或いは加熱容器が機器本体に収容された状態では、開閉扉は調理室を外気から遮断する位置を占める。特許文献２に記載の加熱調理器は、上部に開口が形成されて調理器本体から引き出し可能な加熱容器の前記開口を蓋部で覆うことで、マイクロ波を閉じ込める加熱室を形成し、加熱容器の開口周縁部と蓋部との間にチョーク溝を設けることで、電波の漏れを防止している。
【０００３】
電気オーブン等の加熱調理器において、庫内によごれが生じた場合に、セルフクリーニング（庫内の焼切り）で庫内を浄化することがある。セルフクリーニングは、庫内温度を高くすることで行われるので、モータで駆動されるラッチ装置によってドアをロックした状態で実施されている。この際、安全上、以下の要件が満たされる必要がある。即ち、ドアがロックされるまでは、加熱調理器の庫内温度が所定温度（例えば、２６０℃、３５０℃等）以上に上昇することがあってはならない。また、庫内温度が上記所定温度に達する前であれば、セルフクリーニングはキャンセル可能とされ、ドアがロックされていれば直ちにロック解除可能でなければならない。更に、庫内温度が上記所定温度を超えた場合には、庫内温度が上記所定温度を下回らないとドアロックは解除不能でなければならない。
【０００４】
電気オーブン等におけるセルフクリーニングに関して、モータに連結したレバー、ラッチレバーと固定レバーを係止部でそれぞれ連結、連動させておき、固定レバーの先端部をドアの鍵穴に挿入させて、セルフクリーニング（庫内の焼き切り）やオーブン庫内が高温時にドアを開けることができないように、ドアをロックさせる機能を備えたドア−ロック装置が提案されている（特許文献３参照）。詳細には、図３に示すように、常に一定方向に回転するモータ２２によって、そのモータ軸２３に連動した固定レバー３２を回転させ、固定レバー３２の先端部３５をドア３７に形成されている鍵穴３８に引っ掛けて、更に、先端部３５が引っ掛けられたドア３７を固定レバー３２の引き寄せ動作によって閉じる方向に引き寄せるという一連の動作を行わせることで、ドア３７をロックしている。モータ軸２３とレバー３２との間の連動構造は、モータ軸２３に取り付けられた回転レバー２４、ラッチレバー２７及び固定レバー３２から成っており、回転レバー２４が回転すると、係止部２５が移動溝２８内を移動することで、ラッチレバー２７が係止部２６の回りに回転し、ラッチレバー２７に形成されている移動溝２９が固定レバー３２に設けられている係止部３３と係合していることにより、固定レバー３２を回転させながら引き寄せる動作を行う。取付板２１には係止部３３が係合する溝３４が形成され、取付板２１に設けられている係止部３１が固定レバー３２に形成されている移動溝３６内に係止している。ラッチレバー２７に付けたアクチュエータ３０によってスイッチ３９を動作させ、制御器からの温度検知信号の両方を利用してモータ２２を自動制御し、安定したドアロックから解除までの動作を行い、誤動作を防止するとともに、高温時に確実にドアの閉止を行う。
【０００５】
また、調理スイッチが接点溶着を起こして故障した場合に、ドア−オープン用摘子を操作してもドアが開かないようにした電子レンジのドア開閉機構が提案されている（特許文献４）。ドアにはレンジ内部に延びるように設けられているドアフックが、レンジ本体に設けられているラッチフックに係合することによって、ドア閉状態が維持される。ドア−オープン用摘子に連係されている連結レバーが、ラッチフックを作動させるラッチレバーに連結されている。調理スイッチが接点溶着を起こした場合には、連結レバーの回動を妨げる構造が採用されているので、ラッチレバーはラッチフックを作動させることができず、ドアが開くのを阻止することができる。
【０００６】
しかしながら、上記のような電気オーブン等においては、制御装置の誤動作やモータの駆動部品の故障がある場合には、オーブンの庫内温度が高温であるにもかかわらずドアのロックが解除されることがあり、そのような状態になると、ユーザーがドアを開けることができる危険な状態を生じ得ることが判明した。
【特許文献１】特開平３−４５８２０号公報（第２頁下左欄第６行〜第３頁上右欄第１６行、図１〜図４）
【特許文献２】特開平１１−２３７０５３号公報（段落［００２９］〜［００３２］、図１）
【特許文献３】特開平３−１３７３０号公報（第２頁下左欄第４行〜第３頁上左欄第１８行、第１図〜第４図）
【特許文献４】実全昭５４−７９５４６号公報（第５頁第１２行〜第９頁第１８行）
【発明の開示】
【発明が解決しようとする課題】
【０００７】
そこで、電子レンジ等の加熱調理器において、ドアがロック状態であることを検知する場合において、加熱調理器の庫内の温度が所定以上になっているときには、加熱調理器のドアロックが解除されないようにする点で解決すべき課題がある。
【０００８】
この発明の目的は、セルフクリーニング等の場合のように、加熱調理器の庫内の温度が所定以上になっているときには、ユーザーが加熱調理器の開閉ドアを開けることができる状態にあると危険であるので、そうした開閉ドアのロック解除がされないようにして、開閉ドアの誤った開き操作が行われるのを未然に阻止して、加熱調理器の取扱いを安全にする加熱調理器におけるドアロック制御装置を提供することである。
【課題を解決するための手段】
【０００９】
上記課題を解決するため、この発明による加熱調理器におけるドアロック制御装置は、内部に加熱室が形成されている調理器本体、前記加熱室の開口部を閉鎖可能な開閉ドア、前記開閉ドアをロックするためのロック部材を駆動してロック位置とロック解除位置との間で切替える駆動モータ、及び前記駆動モータへの電源供給を司る回路を備えた加熱調理器において、前記回路には、前記ロック部材が占める前記ロック位置と前記ロック解除位置とに応じてそれぞれロック側とロック解除側とに切り替わる検知スイッチ、及び前記検知スイッチの前記ロック側に直列に接続されており且つ前記加熱調理器の所定温度以上の庫内温度に応じて開くサーマルスイッチを組み合わせて成るロック検知・サーモ回路部を備えていることから成っている。
【００１０】
この加熱調理器におけるドアロック制御装置によれば、開閉ドアがロック状態であっても庫内温度が低い場合にはサーマルスイッチは閉状態にあり、ロック検知・サーモ回路部はロック側にある検知スイッチ及び閉じたサーマルスイッチを通じて通電可能であって駆動モータへの電源ラインは遮断されない。したがって、駆動モータに電源を供給して作動させることによって、開閉ドアを閉じた状態でロックしているロック部材を駆動して、開閉ドアのロック状態を解除することができる。また、通常のドアロック解除の状態でも、ロック解除側にある検知スイッチを通じてロック検知・サーモ回路部は通電可能であり、駆動モータへ電源供給する電源ラインは遮断されない。したがって、制御装置によって駆動モータを駆動してロック部材のロックとその後のロック解除操作を行うことができる。
【００１１】
この加熱調理器におけるドアロック制御装置において、前記駆動モータへの電源供給は、前記検知スイッチが前記ロック側にあり且つ前記加熱調理器の庫内温度が所定温度以上であって前記サーマルスイッチが開いているときに遮断される。即ち、セルフクリーニングの場合等では、開閉ドアはロック部材によってロック状態にあり、ロック部材のロック位置とロック解除位置とに応じて切り替わる検知スイッチはロック側にある。加熱調理器の庫内温度はサーマルスイッチについて設定された所定温度を超える高温になっていると考えられるので、ロック側にある検知スイッチと直列に接続されているサーマルスイッチが開いた状態になっており、このサーマルスイッチの開状態によって駆動モータへ電源供給する電源ラインは遮断される。したがって、このような電源遮断状態にあるときには、制御装置の誤動作やモータ駆動部品が故障するようなことがあっても、そもそも駆動モータへは通電されていないので、ロック部材はロック状態から駆動されてロック解除状態になることはない。その結果、開閉ドアが開かれることがあっては危険なセルフクリーニングの場合等では、ロック部材がロック解除位置にもたらされることがなく、開閉ドアが誤って開かれることはない。
【００１２】
この加熱調理器におけるドアロック制御装置において、前記ロック検知・サーモ回路部を、前記駆動モータへの電源供給ラインに介装することができる。この場合、ロック検知・サーモ回路部の通電又は遮断によって、駆動モータへの電源の供給又は停止を直接的に制御することができる。
【００１３】
この加熱調理器におけるドアロック制御装置において、前記ロック検知・サーモ回路部を、前記駆動モータへの電源供給ラインを、リレーを介して駆動するリレー電源ラインに介装することができる。この場合、ロック検知・サーモ回路部の通電又は遮断によってリレー電源ラインを通電又は遮断し、その結果として、リレーの駆動・非駆動を介して駆動モータへの電源供給ラインを通電又は遮断し、駆動モータへの電源の供給又は停止を間接的に制御することができる。
【発明の効果】
【００１４】
この発明による加熱調理器におけるドアロック制御装置は、上記のように構成されているので、開閉ドアがロック部材によってロック状態にあって且つ加熱調理器の庫内温度が高温であるときには、開閉ドアのロックを行っているロック部材を駆動する駆動モータへの通電が、開いたサーマルスイッチによって遮断され、制御装置の誤動作やモータの駆動部品の故障に起因して駆動モータが不本意な駆動を行い、ロック部材がロック位置からロック解除位置へ切り替えられることがない。したがって、庫内温度が高温であるにもかかわらずユーザーが開閉ドアを誤って開けてしまうような危険な状態が生じるのを回避することができ、加熱調理器の開閉ドアの取扱いについて安全性をより高めることができる。
【発明を実施するための最良の形態】
【００１５】
以下、添付した図面に基づいて、この発明による加熱調理器におけるドアロック制御装置（以下、「ドアロック制御装置」と略す）の実施形態を説明する。図１はこの発明によるドアロック制御装置の一実施形態を示す回路図である。なお、加熱調理器における開閉ドアのロック・ロック解除機構については、図３について説明したロック部材を備えた従来の構造のものでよく、ここでの再度の説明を省略する。
【００１６】
図１に示すドアロック制御装置１は、内部に加熱室が形成されている調理器本体の当該加熱室が外に開く開口部を開閉する開閉ドア（以下、単に「ドア」と略す）について、ドアをロック状態又はロック解除状態に置くロック部材の作動位置を検出するための検知スイッチ７を駆動モータ用電源ライン（以下、「電源ライン」と略す）２に接続した実施態様である。即ち、ドアロック制御装置１において、モータ用電源３は、モータ制御リレー４及び電源ライン２を通じてロック部材を駆動するための駆動モータ５（以下、簡単のために「駆動モータ」と称する）に電源を供給している。駆動モータ５には直列にロック検知・サーモ回路部６が接続されている。
【００１７】
ロック検知・サーモ回路部６は、ドアをロックするロック部材が占めるロック位置又はロック解除位置に応じてロック側７ａとロック解除側７ｂとに切り換え可能な検知スイッチ７と、検知スイッチ７のドアロック側において直列に接続されているサーマルスイッチ８とを備えている。検知スイッチ７のロック側７ａとロック解除側７ｂとは、ドアを閉じた状態でロック可能とするロック部材としてのロックレバーが取る作動位置、即ち、例えば、図３に示す開閉ドアのロック機構でいえば、ロック部材に相当する一連のレバーの先端部がドアの鍵穴に係合しドアをロック状態に置くロック位置と、レバーのフックが鍵穴から外れてドアをロック解除状態に置くロック解除位置に対応している。
【００１８】
セルフクリーニング等が開始されるときには、加熱調理器のドアは閉じた状態でロックされており、ユーザーが誤ってドアを開けてしまうことがないようにする必要がある。ドアがロック状態にあるときには、検知スイッチ７はロック側７ａにある。検知スイッチ７のロック側７ａには、サーマルスイッチ８がモータ用電源３に対して直列に接続されている。したがって、ドアがロック状態にある場合のみ、サーマルスイッチ８の働き（オン・オフ）が有効になる。
【００１９】
仮に加熱調理器の庫内の温度が、サーマルスイッチ８において設定された所定温度を上回ったときには、サーマルスイッチ８が開いており（オフ）、電源ライン２を通じた駆動モータ５への電源供給が遮断される。したがって、たとえ制御装置の誤動作や駆動モータ駆動部品が故障するようなことがあっても、そもそも駆動モータ５への通電が行われていないので、駆動モータ５の作動によってロックレバーが駆動されてドアのロック状態が解除されるというようなことは生じない。
【００２０】
加熱調理器の庫内の温度がサーマルスイッチ８において設定された所定温度よりも低いときには、サーマルスイッチ８が閉じて（オン）おり、電源ライン２を通じて駆動モータ５への電源供給が可能な状態にあるので、駆動モータ５を作動することでロックレバーが駆動され、ドアのロック解除操作を行うことができる。
【００２１】
通常のドアロック解除状態の場合には、検知スイッチ７がロック解除側７ｂに切り換えられているので、モータ用電源３は検知スイッチ７及び電源ライン２を通じた回路によって駆動モータ５に電源を供給可能であり、モータ制御リレー４がオンとされることに応じて、駆動モータ５を駆動することができ、ドアのロックを解除することができる。
【００２２】
図２はこの発明による加熱調理器におけるドアロック制御装置の別の実施形態を示す回路図である。図２に示すドアロック制御装置１０においては、図１に示すドアロック制御装置１に用いられる各要素と共通する要素については同じ符号を付することによって、再度の詳細な説明を省略する。ドアロック制御装置１０は、ロック検知・サーモ回路部１６を、ロックレバー駆動用の駆動モータ５へ電源供給するためのモータ制御リレー用電源ライン（以下、「リレー用電源ライン」と称する）１２に接続した実施態様である。即ち、モータ用電源３は、モータ制御リレー１４を介して駆動モータ５に電源を供給している。駆動モータ５は電源ライン２に接続されているが、ロック検知・サーモ回路部１６は、モータ制御リレー１４を作動させるためのリレー用電源ライン１２に設けられている。
【００２３】
リレー用電源ライン１２は、ＤＣ電源の正極側にトランジスタ１７が接続されており、そのベースに制御信号が入力される。トランジスタ１７のコレクタ側にモータ制御リレー１４が接続されており、モータ制御リレー１４とＤＣ電源の負極側との間に、ロック検知・サーモ回路部１６が接続されている。ロック検知・サーモ回路部１６は、図１に示すロック検知・サーモ回路部６と同様に、検知スイッチ７のロック解除側７ａとロック側７ｂとがモータ制御リレー１４に対して並列に接続されており、モータ制御リレー１４に対して、ロック解除側７ｂは直接に接続され、ロック側７ａはサーマルスイッチ８を介して接続されている。
【００２４】
セルフクリーニング等の庫内温度を高温にする操作が開始されるときには、加熱調理器のドアは閉じた状態でロックされる必要がある。ドアがロック状態では検知スイッチ７はロック側７ａにある。ドアがロック状態にある場合のみサーマルスイッチ８の働き（オン・オフ）が有効になる。
【００２５】
もし、加熱調理器の庫内温度がサーマルスイッチ８において設定された所定温度を上回ったときには、サーマルスイッチ８が開いており（オフ）、モータ制御リレー１４へ至るリレー用電源ライン１２は遮断される。したがって、駆動モータ５への通電が行われないので、仮に制御装置の誤動作や駆動モータ駆動部品が故障するようなことがあっても、駆動モータ５が作動してドアのロック状態が不本意に解除されるというようなことはない。
【００２６】
加熱調理器の庫内温度がサーマルスイッチ８において設定された所定温度よりも低いときには、サーマルスイッチ８が閉じて（オン）おり、リレー用電源ライン１２を通じたモータ制御リレー１４への電源供給は可能な状態にあるので、制御信号によってトランジスタ１７を駆動してモータ制御リレー１４へ電源を供給することにより、駆動モータ５を作動させてロックレバーを駆動し、ドアのロック解除を行うことができる。
【００２７】
通常のドアロック解除状態の場合には、検知スイッチ７がロック解除側７ｂに切り換えられているので、制御信号によってトランジスタ１７を駆動してリレー用電源ライン１２を通電させることで、モータ制御リレー１４をオンに作動させ、それによってリレー用リレー１４は電源ライン２をオンとして、駆動モータ５に電源を供給することができる。その結果、駆動モータ５の作動によって、ドアのロック解除操作を行うことができる。
【００２８】
サーマルスイッチ８の故障時には、サービスマンがサーマルスイッチ８にアクセス可能とする。また、故障したサーマルスイッチ８をバイパスさせることも可能である。
【図面の簡単な説明】
【００２９】
【図１】この発明による加熱調理器のドアロック制御装置の一例を示す回路図。
【図２】この発明による加熱調理器のドアロック制御装置の別例を示す回路図。
【図３】従来の加熱調理器のドアロックを説明する概略図。
【符号の説明】
【００３０】
１，１０  加熱調理器におけるドアロック制御装置    ２  駆動モータ用電源ライン
３  モータ用電源                      ４  モータ制御リレー
５  ロック用レバー駆動モータ          ６，１６  ロック検知・サーモ回路部
７  検知スイッチ          ７ａ  ロック側    ７ｂ  ロック解除側
８  サーマルスイッチ
１２  モータ制御リレー用電源ライン      １４  モータ制御リレー
１７  トランジスタ
【図１】
2008096011.tif 000003
【図２】
2008096011.tif 000004
【図３】
2008096011.tif 000005